(57)【要約】【課題】ヘルメットを脱いだときにインナーキャップを被った姿が視認されることを防止できるインナーキャップを提供する。【解決手段】インナーキャップ１は、作業者の頭部を覆うべき中空の略半球形状のキャップ本体２と、該キャップ本体２の開口端面側に位置する外周部３と、該外周部３に沿ってヘルメットの開口端面側の内周に沿って配された帯状体を保持すべき保持体４とを備えている。好ましくは、保持体４は面ファスナーで形成されていて、帯状体は面ファスナーを環状にした環状部分の内側に保持される。【選択図】        図１
0003206807.tif 000002
【実用新案登録請求の範囲】
【請求項１】
作業者の頭部を覆うべき中空の略半球形状のキャップ本体と、
該キャップ本体の開口端面側に位置する外周部と、
該外周部に沿ってヘルメットの開口端面側の内周に沿って配された帯状体を保持すべき保持体とを備えたことを特徴とするインナーキャップ。
【請求項２】
前記保持体は面ファスナーで形成されていて、
前記帯状体は前記面ファスナーを環状にしてその内側に保持されることを特徴とする請求項１に記載のインナーキャップ。
【請求項３】
前記保持体は前記頭部に対して最前側である前頂部及び左右の最も突出している左頂部及び右頂部のそれぞれに形成されていることを特徴とする請求項１又は２に記載のインナーキャップ。
【請求項４】
前記キャップ本体の前記頭部に対して後側は、前記ヘルメットの後部に配された前記帯状体の長さを調整するためのアジャスターを受け入れ可能に切欠かれた切欠き部が形成されていることを特徴とする請求項１〜３のいずれかに記載のインナーキャップ。
【考案の詳細な説明】
【技術分野】
【０００１】
本考案は、ヘルメット内に装着されるインナーキャップに関するものである。
【背景技術】
【０００２】
工事現場等で被られるヘルメットを着用している際、汗がしたたり落ちてくることにより不都合が生じる場合がある。このため、ヘルメット内に布地等からなる薄手のインナーキャップを被り、汗を吸収させている（例えば特許文献１参照）。またこのインナーキャップを被ることで、ヘルメット内にて髪が絡まることを防止したり、頭部の形を整えてヘルメットを被り易くしたりできる。また、インナーキャップの素材を変更することで清涼感等を作業者に与えることもできる。
【０００３】
しかしながら、インナーキャップは頭部に密着するものが多く、インナーキャップを被ると頭部のラインが視認できる状態となる。このため、あまり人目に付けさせたくないという要望がある。このようなことがあり、作業者は休み時間になってヘルメットを取りたくてもインナーキャップを被った外観を晒さなくてはならず、インナーキャップの使用を控えるという事態が生じてしまう。
【先行技術文献】
【特許文献】
【０００４】
【特許文献１】特開２００３−３４２８２３号公報
【考案の概要】
【考案が解決しようとする課題】
【０００５】
本考案は、上記従来技術を考慮したものであり、ヘルメットを脱いだときにインナーキャップを被った姿が視認されることを防止できるインナーキャップを提供することを目的とする。
【課題を解決するための手段】
【０００６】
前記目的を達成するため、本考案では、作業者の頭部を覆うべき中空の略半球形状のキャップ本体と、該キャップ本体の開口端面側に位置する外周部と、該外周部に沿ってヘルメットの開口端面側の内周に沿って配された帯状体を保持すべき保持体とを備えたことを特徴とするインナーキャップを提供する。
【０００７】
好ましくは、前記保持体は面ファスナーで形成されていて、前記帯状体は前記面ファスナーを環状にしてその内側に保持される。
【０００８】
好ましくは、前記保持体は前記頭部に対して最前側である前頂部及び左右の最も突出している左頂部及び右頂部のそれぞれに形成されている。
【０００９】
好ましくは、前記キャップ本体の前記頭部に対して後側は、前記ヘルメットの後部に配された前記帯状体の長さを調整するためのアジャスターを受け入れ可能に切欠かれた切欠き部が形成されている。
【考案の効果】
【００１０】
本考案によれば、キャップ本体の外周部に沿ってヘルメットの帯状体を保持する保持体が備わっているので、キャップ本体をヘルメットに装着することができる。このため、作業者がヘルメットを取った際にインナーキャップもともに取れるため、インナーキャップのみを被った状態が露出されることはない。すなわち、ヘルメットを脱いだときにインナーキャップを被った姿が視認されることを防止できる。
【００１１】
また、保持部を面ファスナーで形成することで、簡単な構造で安価に形成することができる。このとき、面ファスナーを構成するループ部とフック部について、例えば外周部の上側にループ部を縫い付け、、外周部の下側にフック部の一端を縫い付け、フック部の他端をループ部にくっつけることで環状の保持部を形成することができる。帯状体はこの環状の保持部の内側にて確実に保持される。
【００１２】
また、ヘルメットの頭頂部に向けて延びる帯形状のハンモックは、帯状体の右前、左前、右後、左後に対して接続されていることが多いので、保持体を前頂部、左頂部、右頂部に備えることで、このハンモックの接続部分を避けてキャップ本体をヘルメットに装着することができる。
【００１３】
また、キャップ本体の後側に切欠き部を設けることで、アジャスターによるヘルメットの頭部周りの調整作業の妨げになることを防止できる。
【図面の簡単な説明】
【００１４】
【図１】本考案に係るインナーキャップのヘルメット取り付け時の状態を示す概略斜視図である。
【図２】本考案に係るインナーキャップのヘルメット取り付け時の状態を示す概略斜視図である。
【図３】本考案に係るインナーキャップのヘルメット取り付け前の状態を示す概略斜視図である。
【図４】本考案に係るインナーキャップのヘルメット取り付け前の状態を示す概略斜視図である。
【図５】本考案に係るインナーキャップをヘルメットに取り付けて作業者が被っている状態を示す概略図である。
【考案を実施するための形態】
【００１５】
図１及び図２に示すように、本考案に係るインナーキャップ１は、布材を縫製して形成されたキャップ本体２を備えている。このキャップ本体２は中空の略半球形状であり、作業者の頭部を覆うものである。布材としてはどのようなものを用いてもよいが、通風性を考慮して開口孔を所々に設けてもよい。キャップ本体２は作業者の頭部を受け入れるために下端が開口していて、その開口端面側の外周は外周部３として形成されている。すなわち、外周部３はキャップ本体２の開口端面側に位置している。後述するが、ヘルメットも作業者の頭部を受け入れるために下端が開口していて、その内周にはヘッドバンドとしての帯状体が配されている。すなわち帯状体はヘルメットの開口端面側の内周に沿って配されている。外周部３には、この帯状体を保持するための保持体４が備わっている。
【００１６】
ここで、保持体４は面ファスナーで形成されている。面ファスナーは通常ループ部４ａとフック部４ｂの二つの部材で構成されているが、図３及び図４の例では、ループ部４ａが外周部３の上側に縫い付けられている。また、フック部４ｂはその一端が外周部の下側に縫い付けられている。フック部４ｂの他端をループ部４ａにくっつけることで、図１及び図２に示すように面ファスナーを環状にすることができる。この環状部分の内側に帯状体を保持することができる。また、この保持体４は作業者の頭部に対して最前側である前頂部及び左右の最も突出している左頂部及び右頂部のそれぞれに形成されている。
【００１７】
図５に示すように、ヘルメット５はその下端に位置する開口端面側の内周にヘッドバンドとしての帯状体６を有している。またヘルメット５の内部であって頭頂部には頭部を保護するためのガード板７が配され、このガード板７は複数の帯形状のハンモック８にて帯状体６と連結されている。ヘルメット５にインナーキャップ１が装着されると、ヘルメット５の帯状体６は保持部４に保持された状態となる。具体的には、面ファスナーが形成する環状部分の内側を通って保持されている。ヘルメット５にインナーキャップ１を装着する際は、面ファスナーのフック部４ｂを帯状体６の外側を通し、ループ部４ａとくっつければよい。
【００１８】
このような構成により、キャップ本体２の外周部３に沿ってヘルメット５の帯状体６を保持する保持体が備わることになり、インナーキャップ１をヘルメット５の内側に装着することができる。作業者はインナーキャップ１とともにヘルメット５を被ることが可能となる。さらに、作業者がヘルメット５を取った際には、インナーキャップ１もともに取れる。このため、インナーキャップ１のみを被った状態が露出されることはない。すなわち、ヘルメット５を脱いだときにインナーキャップ１を被った姿が他人に視認されることを防止できる。従って作業者は躊躇なくインナーキャップ１を被ることができ、インナーキャップ１を被ることによる快適性を得ることができる。
【００１９】
また、保持部４を面ファスナーで形成することで、簡単な構造で安価に形成することができる。このとき、面ファスナーを構成するループ部４ａとフック部４ｂについて、例えば外周部３の上側にループ部４ａを縫い付け、、外周部３の下側にフック部４ｂの一端を縫い付け、フック部４ｂの他端をループ部４ａにくっつけることで環状の保持部４を形成することができる。帯状体６はこの環状の保持部４の内側にて確実に保持される。
【００２０】
また、ヘルメット５の頭頂部に向けて延びる帯形状のハンモック８は、図５に示すように帯状体の右前、左前、右後、左後に対して接続されていることが多いので、保持体４を前頂部、左頂部、右頂部に備えることで、このハンモック８と帯状体６との接続部分を避けてキャップ本体２をヘルメット５に装着することができる。
【００２１】
ここで、ヘルメット５は、その後側に帯状体６の長さを調整するためのアジャスター（不図示）を備えている。アジャスターは通常ダイヤル式で、回転させることにより帯状体６の長さを調整して作業者の頭部周りの長さにフィットさせることができる。キャップ本体２の後側（ヘルメット５に装着した際に作業者の頭部に対して後側）には、このアジャスターを受け入れ可能に切欠かれた切欠き部９が形成されている。すなわち、切欠き部９があることにより作業者はアジャスターへのアクセスが容易となる。このように、キャップ本体２の後側に切欠き部９を設けることで、アジャスターによるヘルメット５の頭部周りの調整作業の妨げになることを防止できる。
【００２２】
本考案に係るインナーキャップ１は、上述したようにヘルメットの内側に装着させるため、ヘルメット特有の形状に対応させるように工夫して形成されたものである。だからこそ、保持体４の位置や、切欠き部９を設けるなどしてヘルメット５に装着しやすく、さらにヘルメット５の操作性を妨げないように考案されている。
【符号の説明】
【００２３】
１：インナーキャップ、２：キャップ本体、３：外周部、４：保持体、４ａ：ループ部、４ｂ：フック部、５：ヘルメット、６：帯状体、７：ガード板、８：ハンモック、９：切欠き部
【図１】
0003206807.tif 000003
【図２】
0003206807.tif 000004
【図３】
0003206807.tif 000005
【図４】
0003206807.tif 000006
【図５】
0003206807.tif 000007